(57)【要約】【課題】隣接する電極からの電界の影響を小さくすることができ、従来よりも適切な光学位相差分布を示す、液晶レンズを開示する。【解決手段】グランド電極層を有する透明な基板と、パターン電極層を有する透明な基板と、前記グランド電極層及び前記パターン電極層の間に設けられた液晶層とを備え、前記パターン電極層は、平面視においてスリット状、多角形状又は円形状である複数のレンズ開口の輪郭をなし、前記グランド電極層を有する基板及び前記パターン電極層を有する基板のうちの少なくとも一方は、前記液晶層の内部へと突出する導電性の立設部を複数備え、前記立設部の電位がグランド電極層の電位に保たれ、前記立設部が平面視において前記複数のレンズ開口の間に設けられている、液晶レンズアレイとする。【選択図】図１
2018101026.tif 000002
【特許請求の範囲】
【請求項１】
グランド電極層を有する透明な基板と、パターン電極層を有する透明な基板と、前記グランド電極層及び前記パターン電極層の間に設けられた液晶層とを備え、
前記パターン電極層は、平面視においてスリット状、多角形状又は円形状である複数のレンズ開口の輪郭をなし、
前記グランド電極層を有する基板及び前記パターン電極層を有する基板のうちの少なくとも一方は、前記液晶層の内部へと突出する導電性の立設部を複数備え、
前記立設部の電位がグランド電極層の電位に保たれ、
前記立設部が平面視において前記複数のレンズ開口の間に設けられている、
液晶レンズアレイ。
【請求項２】
パターン電極層を有するとともに互いに対向する２枚の透明な基板と、前記パターン電極層の間に設けられた液晶層とを備え、
前記パターン電極層は、平面視においてスリット状、多角形状又は円形状である複数のレンズ開口の輪郭をなし、
前記互いに対向するパターン電極間の液晶層に位相が反転した電圧が印加され、
前記パターン電極層を有する透明な基板が、絶縁層を介して前記液晶層の内部に導電性の立設部を複数備え、
前記立設部の電位が前記パターン電極層の間の電位に保たれ、
前記立設部が平面視において前記複数のレンズ開口の間に設けられている、
液晶レンズアレイ。
【請求項３】
前記透明な基板の前記パターン電極層が設けられた面と同じ側の面に透明な第３電極層が設けられ、
前記電極層は、平面視において前記レンズ開口の内側に設けられている、
請求項１又は２に記載の液晶レンズアレイ。
【請求項４】
前記立設部は、表面が弱アンカリング面とされている、
請求項１〜３のいずれか１項に記載の液晶レンズアレイ。
【請求項５】
前記パターン電極層と前記液晶層との間、且つ、前記パターン電極層と前記立設部との間に絶縁層を有する、
請求項１〜４のいずれか１項に記載の液晶レンズアレイ。
【発明の詳細な説明】
【技術分野】
【０００１】
本願は液晶レンズアレイを開示するものである。
【背景技術】
【０００２】
誘電異方性及び光学異方性を示す液晶分子は、印加電圧を制御することで液晶分子の配向方向を制御することができ、実効的な屈折率を連続的に可変できる。例えば、第１の電極及び第２の電極の間に媒質として液晶分子を含む層（液晶層）を設け、電極間の電圧を制御することで、液晶層の実効的な屈折率分布を調整することができ、液晶レンズとして機能させることができる。このように、電圧印加のみで光の偏向方向の制御及び焦点距離制御を行うレンズとして、二分割した軸対称のパターン電極を用いた液晶レンズアレイが知られている（特許文献１等）。このような液晶レンズアレイにおいては、機械的な駆動部を要することなく、各電極に印加する電圧により、複数のレンズ開口がそれぞれ三角プリズムレンズ特性又は円形レンズ特性を示す。
【先行技術文献】
【特許文献】
【０００３】
【特許文献１】特開２０１４−１１２１５７号公報
【発明の概要】
【発明が解決しようとする課題】
【０００４】
本発明者らの知見では、特許文献１に開示された液晶レンズアレイにあっては、隣接する電極からの電界によって液晶分子が立ち上がり、液晶層の実効的な屈折率分布の利用効率が低く、また干渉縞に歪みが生じる等、理想的な光学位相差分布を示さない傾向にある。このような背景技術に鑑み、本願では、隣接する電極からの電界の影響を小さくすることができ、従来よりも適切な光学位相差分布を示す、液晶レンズアレイを開示する。
【課題を解決するための手段】
【０００５】
本願は、上記課題を解決するための手段の一つとして、
グランド電極層を有する透明な基板と、パターン電極層を有する透明な基板と、前記グランド電極層及び前記パターン電極層の間に設けられた液晶層とを備え、前記パターン電極層は、平面視においてスリット状、多角形状又は円形状である複数のレンズ開口の輪郭をなし、前記グランド電極層を有する基板及び前記パターン電極層を有する基板のうちの少なくとも一方は、前記液晶層の内部へと突出する導電性の立設部を複数備え、前記立設部の電位がグランド電極層の電位に保たれ、前記立設部が平面視において前記複数のレンズ開口の間に設けられている、液晶レンズアレイ
を開示する。
【０００６】
「グランド電極層」とは、光を透過可能であるとともに電極として機能し得る層であって、従来より液晶レンズに用いられてきたグランド電極層と同様の透明電極材料からなるものでよい。例えば、ＩＴＯ、酸化チタン、酸化亜鉛又はこれらの混合物を含む電極層が挙げられる。
「グランド電極層を有する透明な基板」とは、グランド電極層が透明な基板の表面に直接接触するように設けられる形態のほか、グランド電極層が何らかの層を介して透明な基板に設けられる形態の双方を含む。
「パターン電極層」とは、グランド電極層の対極として機能し得る層であって、従来より液晶レンズに用いられてきたパターン電極層と同様のものでよい。例えば、ＩＴＯ、酸化チタン、酸化亜鉛、アルミニウム等の金属、又はこれらの混合物を含む電極層が挙げられる。
「パターン電極層を有する透明な基板」とは、パターン電極層が透明な基板の表面に直接接触するように設けられる形態のほか、パターン電極層が何らかの層を介して透明な基板に設けられる形態の双方を含む。
「液晶層」とは、グランド電極層及びパターン電極層の電圧を制御することで液晶の配向を調整可能で、実効的な屈折率の分布を調整可能な層であればよい。通常、配向膜と配向膜との間に液晶分子が充填されてなる層をいう。
「平面視」とは、パターン電極層を上側とし、グランド電極層を下側とした場合における「上面視」を意味する。
「パターン電極層は、平面視においてスリット状、多角形状又は円形状である複数のレンズ開口の輪郭をなし」とは、言い換えれば、パターン電極層によって画定される複数の区画が、それぞれレンズとして機能することを意味する。
「前記グランド電極層を有する基板及び前記パターン電極層を有する基板のうちの少なくとも一方は、前記液晶層の内部へと突出する導電性の立設部を複数備え」とは、グランド電極層を有する基板及び／又はパターン電極層を有する基板と立設部とが一体である形態、並びに、グランド電極層を有する基板及び／又はパターン電極層を有する基板と立設部とが別体である形態の双方を含む概念である。
「立設部は、平面視において複数のレンズ開口の間に設けられている」とは、立設部は、平面視において、レンズ開口よりも外側に設けられていることを意味する。言い換えれば、パターン電極層を上側としグランド電極層を下側とした場合において、立設部の上端が、パターン電極層の下面と略対向していることを意味する。
「液晶レンズアレイ」とは、液晶レンズが複数配列されたものをいう。
「液晶レンズ」は、レンズ開口の大きさについて特に限定されるものではなく、液晶マイクロレンズも含む概念である。
「液晶マイクロレンズ」とは、レンズ開口がスリット状である場合は当該スリットの幅（短辺）がマイクロオーダー（１ｍｍ未満）であり、レンズ開口が多角形状である場合は当該多角形の対角線の最大長さがマイクロオーダーであり、レンズ開口が円形状の場合はレンズ径がマイクロオーダーであることを意味する。
【０００７】
本願は、上記課題を解決するための手段の一つとして、
パターン電極層を有するとともに互いに対向する２枚の透明な基板と、前記パターン電極層の間に設けられた液晶層とを備え、前記パターン電極層は、平面視においてスリット状、多角形状又は円形状である複数のレンズ開口の輪郭をなし、前記互いに対向するパターン電極間の液晶層に位相が反転した電圧が印加され、前記パターン電極層を有する透明な基板が、絶縁層を介して前記液晶層の内部に導電性の立設部を複数備え、前記立設部の電位が前記パターン電極層の間の電位に保たれ、前記立設部が平面視において前記複数のレンズ開口の間に設けられている、液晶レンズアレイ
を開示する。
【０００８】
「パターン電極層を有するとともに互いに対面する２枚の透明な基板」とは、言い換えれば、互いに対面する２枚の透明な基板において、それぞれの基板にパターン電極層が設けられていることを意味する。パターン電極層が透明な基板の表面に直接接触するように設けられる形態のほか、パターン電極層が何らかの層を介して透明な基板に設けられる形態の双方を含む。
【０００９】
本開示の液晶レンズアレイにおいて、前記透明な基板に対して前記パターン電極層と同じ側に透明な第３電極層が設けられ、前記第３電極層は、平面視において前記レンズ開口の内側に設けられていてもよい。
【００１０】
「前記透明な基板に対して前記パターン電極層と同じ側に透明な第３電極層が設けられ」とは、例えば、透明な基板を一面側と他面側とに分けた場合において、パターン電極層と透明な第３電極層とが、ともに一面側に設けられていることをいう。ただし、パターン電極層と第３電極層とは、同一平面上に配置していなくてもよい。例えば、透明な基板の一面側に絶縁層が配置され、当該絶縁層の表面側（例えば、一面側）にパターン電極層が、裏面側（例えば、他面側）に第３電極層が配置されていてもよい。この場合、透明な基板、第３電極層、絶縁層及びパターン電極層の順に各層が配置されることとなる。
「透明な第３電極層」とは、上記のグランド電極層やパターン電極層とは別体で設けられる電極層であって、光を透過可能であるとともに電極として機能し得るものであればよい。例えば、ＩＴＯ、酸化チタン、酸化亜鉛又はこれらの混合物を含む電極層が挙げられる。
【００１１】
本開示の液晶レンズアレイにおいて、前記立設部は、表面が弱アンカリング面とされていることが好ましい。
【００１２】
「弱アンカリング面」とは、液晶層を構成する配向膜の面よりも液晶分子に対する束縛力（配向規制力）が弱い面、もしくはラビング等の配向処理をしていない面をいう。
【００１３】
本開示の液晶レンズアレイは、前記パターン電極層と前記液晶層との間、且つ、前記パターン電極層と前記立設部との間に絶縁層を有することが好ましい。
【００１４】
「絶縁層」とは、光を透過可能であるとともに絶縁材料から構成される層をいう。絶縁材料は有機系・無機系を問わない。
【００１５】
尚、本開示の液晶レンズアレイにおいて、前記パターン電極層及び前記立設部は、前記液晶層のラビング方向に延在していてもよいが、ラビング方向と一定の角度（例えば４５度等）をなしていてもよい。
【発明の効果】
【００１６】
本開示の液晶レンズにおいては、グランド電極層の電位に保たれている導電性の立設部が液晶層内部へと突出している。これにより、パターン電極層からの電界が立設部を介してグランド電極層の電位へと誘導される。すなわち、立設部が電気的な障壁として機能することで、隣接する電極からの電界をある程度遮断（シールド）でき、隣接する電極からの電界によって液晶分子が立ち上がることを抑制することができる。このように、本開示の液晶レンズは、隣接する電極からの電界の影響を小さくすることができ、従来よりも適切な光学位相差分布を示すと共に、液晶層の実効的な屈折率分布の利用効率を高くすることができる。
【図面の簡単な説明】
【００１７】
【図１】液晶レンズアレイ１０の構成を説明するための断面概略図である。
【図２】パターン電極層２、グランド電極層１及び立設部５の平面形状の一例を説明するための平面概略図である。
【図３】液晶レンズアレイ２０の構成を説明するための断面概略図である。
【図４】パターン電極層１２、グランド電極層１及び立設部５の平面形状の一例を説明するための平面概略図である。
【図５】液晶レンズアレイ３０の構成を説明するための断面概略図である。
【図６】パターン電極層２及び電極層２５の平面形状の一例を説明するための平面概略図である。
【図７】パターン電極層２及び電極層２５の平面形状の一例を説明するための平面概略図である。
【図８】対称構造の液晶レンズアレイ４０の構成を説明するための断面概略図である。
【図９】液晶レンズアレイ５０の構成を説明するための断面概略図である。
【図１０】液晶レンズアレイ６０の構成を説明するための断面概略図である。
【図１１】比較例１（液晶レンズアレイ１００）の構成を説明するための断面概略図である。
【図１２】比較例１及び実施例１の光学位相差分布を示す図である。
【図１３】比較例２及び実施例２の光学位相差分布を示す図である。
【図１４】実施例３の光学位相差分布を示す図である。
【図１５】実施例に係る液晶レンズの効果について説明するための概略図である。
【図１６】立設部の長さと偏向角の関係を示す図である。
【発明を実施するための形態】
【００１８】
１．液晶レンズアレイ１０
図１に液晶レンズアレイ１０の層構成を概略的に示す。また、図２に液晶レンズアレイ１０に備えられるパターン電極層２、グランド電極層１及び立設部５について、それぞれの平面形状を概略的に示す。
【００１９】
図１、２に、一例として導電性の立設部５がグランド電極層１を有する基板６からパターン電極層２に向かって液晶層３の内部へと突出している場合について示す。図１、２に示すように、液晶レンズアレイ１０は、グランド電極層１を有する透明な基板６と、パターン電極層２を有する透明な基板７と、グランド電極層１及びパターン電極層２の間に設けられた液晶層３とを備えている。また、パターン電極層２は、平面視においてスリット状である複数のレンズ開口の輪郭をなしている。一方、グランド電極層１を有する基板６は、パターン電極層２に向かって液晶層３の内部へと突出する導電性の立設部５を複数備えている。立設部５は、グランド電極層１の電位に保たれている。具体的には、立設部５は、グランド電極層１に電気的に接続されている一方で、パターン電極層２に電気的に接続されていない。また、立設部５は、平面視において複数のレンズ開口の間に設けられている。
【００２０】
１．１．グランド電極層１
グランド電極層１は、光を透過可能であるとともに電極として機能し得る層であって、従来より液晶レンズに用いられてきた電極層と同様のものでよい。グランド電極層１を構成し得る透明電極材料としては、例えば、ＩＴＯ、酸化チタン、酸化亜鉛又はこれらの混合物を含む電極層が挙げられる。グランド電極層１の形状は特に限定されず、後述のパターン電極層２に対し、液晶層３を介して対向するような形状であればよい。
【００２１】
１．２．パターン電極層２
パターン電極層２は、グランド電極層１の対極として機能し得る層であって、従来より液晶レンズに用いられてきたパターン電極層と同様のものでよい。パターン電極層２は、平面視においてスリット状である複数のレンズ開口の輪郭をなしている。すなわち、パターン電極層２は、全体として略櫛状とされており、直線状に伸びる複数の電極パターンを備えている。図１及び図２（Ａ）に示すように、パターン電極層２は、レンズ開口のうち紙面左側の輪郭をなす第１のパターン電極層２ａと、レンズ開口のうち紙面右側の輪郭をなす第２のパターン電極層２ｂとの組み合わせからなる。図１（Ｂ）に示すように、第１のパターン電極層２ａと第２のパターン電極層２ｂとは、それぞれ、グランド電極層１に対して所定の電位差Ｖ１Ｌ及びＶ１Ｒを生じさせることが可能である。Ｖ１Ｌ及びＶ１Ｒをそれぞれ調整することで、レンズ開口に生じる不均一電界の分布特性を調整でき、液晶層３の実効的な屈折率分布を調整することができる。Ｖ１ＬとＶ１Ｒとの間に電位差を設けることで、液晶レンズ１０は三角プリズムレンズとして機能し得る。このように、液晶レンズ１０において、パターン電極層２は、スリット状の電極群を構成する。
【００２２】
尚、図１及び図２（Ａ）において、パターン電極層２は、平面視において、スリット状のレンズ開口の長手方向（長辺）がラビング方向に沿った（すなわち、パターン電極層２が液晶層３のラビング方向に延在した）構成としてもよいが、必ずしもこのような構成でなくてもよい。たとえばラビング方向と４５度の角度をなすように設定した２層の液晶層が互いに９０度となるように重ね合わせることで自然光対応の液晶レンズを構成することができる。
【００２３】
１．３．液晶層３
液晶層３は、グランド電極層１及びパターン電極層２の電圧を制御することで液晶の配向を調整可能で、実効的な屈折率の分布を調整可能な層であればよく、従来より液晶レンズに用いられてきた液晶層と同様のものでよい。例えば、図１に示すように、液晶層３は、配向膜３ｂ、３ｃの間に液晶分子３ａが充填されてなる。
【００２４】
液晶分子３ａの種類は特に限定されるものではない。液晶レンズにおいて従来より用いられてきた誘電異方性が正又は負の液晶分子と同様のものとすればよい。ここでは説明を省略する。
【００２５】
配向膜３ｂ、３ｃは、通常、一方向にラビング処理が施されたものであり、液晶分子３ａの長軸方向に対応するダイレクタが所定のプレティルト角をなして配向するような状態となっている。このような配向膜３ｂ、３ｃは従来と同様の配向膜を用いればよい。例えば、ポリイミドからなる膜の表面をラビング処理した配向膜が挙げられる。尚、配向膜３ｂ、３ｃは、例えば、上述のグランド電極層１の表面や後述の絶縁層４の表面に設けられていてもよい。ここで、図１、２に示す液晶レンズアレイ１０においては、グランド電極層１を有する基板６が後述の立設部５を有するが、このような立設部５を有する場合でも、グランド電極層１や絶縁層４の表面に配向膜３ｃを設けることが可能である。パターン電極層２を有する基板７が立設部５を有する場合も同様である。例えば、これらの基板が立設部５を有していたとしても、少なくとも立設部間の表面にポリイミドを塗布して安定化させた後、ラビング処理を施すことで、図１に示すように、少なくとも立設部間の表面に配向膜３ｃを設けることができる。或いは、グランド電極層やパターン電極層と液晶層の間に設けられる絶縁層にあらかじめラビング等の配向処理を行った後に立設部を設けるという方法も可能である。
【００２６】
１．４．立設部５
図１は、グランド電極層１を有する基板側６に立設部５を備えている一例について示したものであるが、パターン電極層２を有する基板７側に立設部を備えることもできる。なお、以降の図においても同様に立設部がグランド電極側に備えられている例について示す。すなわち、図１に示すように、グランド電極層１を有する基板６は、パターン電極層２に向かって液晶層３の内部へと突出する導電性の立設部５を複数備えている。立設部５は、グランド電極層１の電位に保たれている。具体的には、立設部５は、グランド電極層１に電気的に接続されている一方で、パターン電極層２に電気的に接続されていない。また、図２（Ｂ）に示すように、立設部５は、平面視において複数のレンズ開口の間に設けられている。液晶レンズ１０においては、パターン電極層２からの電界が立設部５を介してグランド電極層１へと誘導される。すなわち、立設部５が電気的な障壁として機能することで、隣接する電極からの電界をある程度遮断でき、隣接する電極からの電界によって液晶分子３ａが立ち上がることを抑制することができる。
【００２７】
図１に示すように、立設部５は、グランド電極層１から配向膜３ｂ（或いは絶縁層４）に突き当たるような突出長（高さ）を有することが好ましい。このような立設部５によれば、パターン電極層２からの電界を立設部５を介してグランド電極層１へと一層容易に誘導することができる。ただし、突出長（高さ）はこれに限定されるものではない。
【００２８】
立設部５の幅（厚み）は特に限定されるものではない。複数のレンズ開口の間隔に合わせて適宜決定可能である。すなわち、当該複数のレンズ開口の間に設けられるような幅（厚み）であればよい。
【００２９】
立設部５を構成する材料としては、例えば、上述のグランド電極層１を有する基板６と同様の材料とすればよい。グランド電極層１を有する基板６と立設部５とは一体であっても別体であってもよいが、生産性に鑑みると一体であるほうが好ましい。例えば、表面に凹凸を有する基材を用い、当該基材の表面に上述した透明電極材料の層を一定の厚みにて設けることで、グランド電極層１を有する基板６と立設部５とを一体で形成可能である。或いは透明材料からなるグランド電極層１の表面に、立設部５がパターン印刷されて積層されたような形態であってもよい。或いは金属のような導電性の物質でもよい。
【００３０】
パターン電極層２等とラビング方向との関係は特に限定されない。例えば、パターン電極層２がラビング方向に延在している場合、立設部５もパターン電極層２に沿うように、液晶層３のラビング方向に延在させることができる。或いは、パターン電極層２がラビング方向に対して所定の角度、たとえば４５度となるように設定することもできる。この場合には液晶層を２層設け、２層の液晶層の配向方向が互いに直交するように組み合わせることで、自然光に対応できる液晶レンズとすることが可能となる。これにより、液晶層３の実効的な屈折率分布をレンズとしてより最適なものへと容易に制御可能である。
【００３１】
１．５．その他の構成
以上の通り、液晶レンズアレイ１０は、従来の液晶レンズと比較して、液晶層３の中にグランド電極層１と同電位の立設部５を設けたことに特徴があり、これによって従来の液晶レンズにはない顕著且つ特有の効果を奏するものである。液晶レンズ１０は、立設部５以外の構成については、従来の液晶レンズと同様の構成とすることができる。
【００３２】
１．５．１．絶縁層４
例えば、液晶レンズアレイ１０は、パターン電極層２と液晶層３との間に絶縁層４を有する。絶縁層４は、光を透過可能であるとともに絶縁材料から構成される層であればよい。絶縁材料は有機系・無機系を問わない。有機系絶縁材料としては、例えば、ポリイミド膜やフォトレジスト膜などが挙げられる。無機系絶縁材料としては、例えば、一酸化ケイ素（ＳｉＯ）膜やアモルファス石英（ＳｉＯ２）膜などが挙げられる。或いは、絶縁層４は、絶縁材料からなる層と、高抵抗材料からなる層との多層構造を有していてもよい。高抵抗材料としては、光を透過可能であるとともにシート抵抗が１ＭΩ以上１０ＧΩ以下の層となるような材料であればよい。絶縁層４の面形状は特に限定されるものではない。例えば、パターン電極層２の全体を覆うような面形状とすることができる。絶縁層４の厚みは絶縁を確保できる限り特に限定されるものではない。パターン電極層２と液晶層３との間に絶縁層４を介在させることで、パターン電極層２と立設部３とが接触することを防止できるとともに、液晶層３に生じる光学位相差分布を滑らかなものとすることができる。また、高抵抗材料を用いた場合には、光学位相差分布をさらに滑らかにすることができる。
【００３３】
１．５．２．基板６、７
グランド電極層１やパターン電極層２は、それぞれ、透明な基板６、７の表面に形成することができる。基板６、７の形状や材質は、液晶レンズの機能を確保できる限り特に限定されるものではない。また、グランド電極層１とパターン電極層２とは、それぞれ、複数のリード線を介して電源に接続されており、図１のＶ１Ｌ及びＶ１Ｒで示すような所定の電位に保持可能である。リード線の引き出し位置は特に限定されるものではなく、従来と同様とすればよい。
【００３４】
２．液晶レンズアレイ２０
図３に液晶レンズアレイ２０の層構成を概略的に示す。また、図４に液晶レンズアレイ２０に備えられるパターン電極層１２、グランド電極層１及び立設部５について、それぞれの平面形状を概略的に示す。
【００３５】
図３、４に示すように、液晶レンズアレイ２０は、パターン電極層１２の平面形状がパターン電極層２とは異なる点を除き、液晶レンズアレイ１０と同様の構成を有する。すなわち、液晶レンズ２０は、グランド電極層１を有する透明な基板６と、パターン電極層１２を有する透明な基板７と、グランド電極層１及びパターン電極層１２の間に設けられた液晶層３とを備えている。また、パターン電極層１２は、平面視において多角形状（具体的には四角形状）である複数のレンズ開口の輪郭をなしている。一方、グランド電極層１を有する基板６は、パターン電極層１２に向かって液晶層３の内部へと突出する導電性の立設部５を複数備えている。立設部５は、グランド電極層１の電位に保たれている。具体的には、立設部５は、グランド電極層１に電気的に接続されている一方で、パターン電極層１２に電気的に接続されていない。また、立設部５は、平面視において複数のレンズ開口の間に設けられている。
【００３６】
多角形状のパターン電極層１２そのものについては公知であり、ここでは説明を省略する。このように、多角形状のレンズ開口を有する液晶レンズ２０においても、レンズ開口間に立設部５を設けることで、パターン電極層２からの電界が立設部５を介してグランド電極層１へと誘導される。すなわち、立設部５が電気的な障壁として機能することで、隣接する電極からの電界をある程度遮断でき、隣接する電極からの電界によって液晶分子３ａが立ち上がることを抑制することができる。
【００３７】
３．液晶レンズアレイ３０
図５に液晶レンズアレイ３０の層構成を概略的に示す。また、図６に液晶レンズアレイ３０に備えられるパターン電極層２及び透明な電極層２５について、それぞれの平面形状を概略的に示す。
【００３８】
図５、６に示すように、液晶レンズアレイ３０においては、透明な基板７に対してパターン電極層２と同じ側に透明な第３電極層２５が設けられている。尚、液晶レンズアレイ３０においては、第３電極層２５とパターン電極層２との間に任意の層として絶縁層２４が設けられている。このように、液晶レンズアレイ３０は、電極層２５（及び絶縁層２４）を備えている点を除き、液晶レンズアレイ１０と同様の構成を有する。
【００３９】
３．１．絶縁層２４
絶縁層２４は上述の絶縁層４と同様の層とすることができる。第３電極層２５とパターン電極層２との間に、絶縁層２４が設けられることで、第３電極２５とパターン電極層２とが接触することを防止できる。
【００４０】
３．２．第３電極層２５
第３電極層２５は、光を透過可能であるとともに電極として機能し得る電極層であればよい。例えば、上述のパターン電極層２と同様の透明電極材料を含む電極層とすることができる。第３電極層２５の形状は、平面視においてレンズ開口の内側に設けることが可能な形状であればよい。すなわち、第３電極層２５の幅（太さ）は、例えば、レンズ開口の一辺（或いは内径）の長さ未満とすることができる。或いは、図５のように絶縁層２４の基板７側の表面に第３電極層が設けられ、液晶層３側の表面にパターン電極層が設けられている場合、第３電極層はパターン電極層に対して絶縁層を挟んで全面に設けてもよい。
【００４１】
液晶レンズアレイ３０において、基板７の表面又は絶縁層２４の表面に上記の透明電極材料をパターン印刷すること等によって、第３電極層２５を容易に形成可能である。尚、液晶レンズアレイ３０においては、第３電極層２５とパターン電極層２との間に絶縁層２４を設ける形態について例示したが、絶縁層２４は必須ではない。基板７の表面に第３電極層２５とともにパターン電極層２を形成してもよい。
【００４２】
尚、図５、６では、第３電極層２５を用いた場合について説明したが、第３電極層２５は、二つの電極層の組み合わせからなる形態とすることもできる。この場合にはそれぞれの電極に適切な電圧を加えることで、より優れた光学特性を得ることが可能となる。すなわち、図７に示すように、第３電極層２５としてスリット電極層２５ａ、２５ｂが、それぞれ、複数のリード線を介して電源に接続されている場合、それぞれについて、例えばグランド電極１に対してＶ２Ｌ及びＶ２Ｒで示すような所定の電位に保持可能である。リード線の引き出し位置は特に限定されるものではない。
【００４３】
液晶レンズアレイ３０においては、このような第３電極層２５を備えることで、以下のような効果を奏する。従来の液晶レンズは、特に三角プリズムレンズとして機能させようとした場合、光学位相差分布が膨んでしまい、理想的な直線状とはならない場合がある。従来の第３電極層を備えていない液晶レンズは、電極としてグランド電極層及びパターン電極層の２種の電極しか備えておらず、液晶層中の不均一電界の分布を精密に制御することが難しいためである。これに対して、液晶レンズアレイ３０では、グランド電極層及びパターン電極層に加えて、レンズ開口の内側の電界を調整するための第３電極層２５が設けられている。これにより、上述した光学位相差分布の膨らみが生じた場合でも、第３電極層２５からの電界によって当該膨らみを押さえつけることができ、光学位相差分布を三角プリズムレンズとしてより理想的な直線状に近づけることができる。
【００４４】
４．液晶レンズアレイ４０
上記説明では、グランド電極層を必須とする液晶レンズアレイについて説明したが、グランド電極層に変えて、パターン電極層を用いた場合にも同様の所望の効果を奏する。図８に、互いに対向する基板７、３６の間に同一のパターン電極層２、３２、及び、透明な第３電極層２５、３５を設けた液晶レンズアレイ４０の層構成を概略的に示す。
【００４５】
図８に示すように、液晶レンズアレイ４０においては、パターン電極層２、３２を有するとともに互いに対向する１組の透明な基板７、３６と、パターン電極層２、３２の間に設けられた液晶層３とを備え、パターン電極層２、３２は、平面視においてスリット状（又は、多角形状若しくは円形状）である複数のレンズ開口の輪郭をなし、互いに対向するパターン電極間の液晶層３に位相が反転した電圧が印加され、パターン電極層２、３２を有する透明な基板７、３７が、絶縁層４を介して液晶層３の内部に導電性の立設部５を複数備え、立設部５の電位がパターン電極層２、３２の間の電位に保たれ、立設部５が平面視において複数のレンズ開口の間に設けられている。パターン電極層２、３２は、パターン電極層２５、３５や絶縁層２４、３４を介して、基板７、３６の表面に設けられている。パターン電極層２、３２、基板７、３６、第３電極層２５、３５及び絶縁層４、２４、３４の構成については、それぞれ上述したものと同様の構成とすることができるため、ここでは詳細な説明を省略する。
【００４６】
このように、液晶レンズアレイ４０は、相対する電極間に位相を反転させた（１８０度位相が異なる）電圧を印加することで動作する。このような対称構造とすることで、光学位相差分布特性はより直線状となり、且つ液晶層の利用効率が良くなるためより大きな偏向角特性を得ることができる。
【００４７】
尚、図８では、第３電極層３５が、一つの電極層からなる形態について説明したが、第３電極層３５の形態はこれに限定されるものではない。上述の第３電極層２５と同様に、二つの電極層を組み合わせたものであってもよい。
【００４８】
５．液晶レンズアレイ５０
図９に液晶レンズアレイ５０の層構成を概略的に示す。
【００４９】
図９に示すように、液晶レンズアレイ５０においては、立設部５の表面が弱アンカリング面４９とされている。このように、液晶レンズアレイ５０は、立設部５の表面が処理されている点を除き、液晶レンズアレイ１０と同様の構成を有する。
【００５０】
弱アンカリング面４９とは、上述した液晶層３の配向膜よりも液晶分子に対する束縛力（配向規制力）が弱い材料から成る面、もしくはラビング処理等の強いアンカリングが生じるような配向処理を行っていない面をいう。
【００５１】
液晶レンズアレイ５０においては、立設部５の表面を弱アンカリング面４９とすることで、立設部の表面による液晶分子への束縛力が弱くなるため、電界による配向力の効果が強まり、特に左右両側への偏向動作等を行う場合において有効であるという卓越した効果が得られる。
【００５２】
６．液晶レンズアレイ６０
図１０に液晶レンズアレイ６０の層構成を概略的に示す。
【００５３】
図１０に示すように、液晶レンズアレイ６０は、立設部５５の上端と配向膜３ｂとの間に間隔を有する。このような場合であっても、パターン電極層からの電界を立設部５５を介してグランド電極層１へと誘導することができる。立設部５５はグランド電極層１から少しでも突出していれば、ある程度の効果が得られる。後述の実施例に示したように、立設部の高さ（長さ）が液晶層の厚みに対して占める割合が大きくなるほど、その効果が大きくなるので、立設部の製造のプロセスとシールドの効果との兼ね合いで、立設部の高さが決まることになる。一方で、上述した通り、透明な基板７が立設部を有する場合は、当該立設部がグランド電極層１に接触していることが好ましいことから、立設部の高さ（長さ）は液晶層３の厚みと略同じとすることが好ましい。なお、パターン電極層側に立設部を設けることは、パターン電極による電界に対するシールドの効果がより大きいため、液晶レンズアレイ６０のように立設部の上端と配向膜との間に間隔を有する液晶レンズアレイの場合において特に有効である。
【００５４】
尚、液晶レンズアレイ６０において、立設部５５の上端には配向膜５３が設けられているが、これは必須ではない。仮に立設部５５を有するグランド電極層１の表面にポリイミドを塗布・安定化させたうえでラビング処理を行った場合、立設部５５の上端とグランド電極層１の上面の双方がラビングされることとなり、ここに配向膜３ｃ及び配向膜５３が形成されることとなる。
【００５５】
７．その他の形態
尚、上記説明では、パターン電極層がスリット状又は多角形状のレンズ開口の輪郭をなす形態について説明したが、本開示の液晶レンズはこの形態に限定されない。パターン電極層が円形状のレンズ開口の輪郭をなす形態であってもよい。このような場合においても、本開示の液晶レンズによる効果が問題なく発揮されるものと考えられる。
【００５６】
また、上記説明では、液晶レンズアレイ１０の構成を基本にして、当該液晶レンズ１０の構成の一部を変更した例として液晶レンズアレイ２０〜６０をそれぞれ個別に説明したが、本開示の液晶レンズアレイは、液晶レンズアレイ１０〜６０の構成を兼ね備えたものであってもよい。すなわち、液晶レンズアレイ１０〜６０の各構成を適宜組み合わせて、一つの液晶レンズとしてもよい。
【００５７】
さらに、上記説明では、液晶層３が一層のみ設けられる形態について説明したが、液晶層３の構成はこれに限定されるものではない。例えば、レンズパワーを増大させるために、あるいは特に偏光していない自然光に対応するために、液晶層を複数設けてもよい。液晶層を多層化する方法は特に限定されず、公知の方法によればよい。
【００５８】
さらに、液晶層内にグランド電位に保たれている立設部を設けることで、隣接する電極の電位の漏れ効果を減少させることができるという本開示のメカニズムからすると、液晶マイクロレンズアレイだけでなく、レンズの口径がｍｍ〜ｃｍと大きくなった単一の液晶レンズに対しても同様の効果が奏されるものと考えられる。特にレンズの口径を拡大するための方策として単一の液晶レンズの口径の拡大のためにフレネルレンズ構成とした場合等において、通常のレンズ部とフレネルレンズ部の境界領域やフレネルレンズ部間の境界領域等に立設部を設けることにより、高電位側から生じる漏れ電界をシールドすることができるので、さらに良好な分子配向状態並びに光学特性を得ることができる。
【実施例】
【００５９】
以下、本開示の液晶レンズアレイの各レンズを三角プリズムレンズとして機能させた場合について、実施例及び比較例を示しつつ説明する。ただし、本開示の液晶レンズアレイの各レンズは円形レンズとして機能させることも可能であり、三角プリズムレンズの場合と同様に所望の効果を奏する。
【００６０】
１．スリット状のレンズ開口の場合
まず、レンズ開口をスリット状とした場合についてシミュレーション計算による検討を行った。
【００６１】
＜比較例１＞
（液晶レンズアレイの構成）
図１１に、比較例１に係る液晶レンズアレイ１００の構成を示す。比較例１は図１、２に示した液晶レンズアレイ１０から立設部５を除いたものに相当する。以下、液晶レンズアレイ１０と同様の部材については同符号を用いて説明する。図１１（Ａ）が比較例１に係る液晶レンズアレイ１００の側面概略図、図１１（Ｂ）がパターン電極層２の平面概略図であり、図１１（Ｃ）がグランド電極層１の平面概略図である。
【００６２】
図１１（Ａ）において、基板６、７として透明ガラス基板（厚み２００μｍ）を採用し、グランド電極層１（厚み０.１μｍ）及びパターン電極層２（厚み０.１μｍ）としてＩＴＯからなる層を採用し、液晶層（全厚み１１０μｍ）を構成する液晶分子３ａとしてＲＤＰ８５４７５（ＤＩＣ社製）を採用し、配向膜３ａ、３ｂ（各厚み１５０ｎｍ）としてラビング処理されたポリイミド膜を採用し、絶縁層４（厚み５μｍ）としてフォトレジストにより得られる層を採用した。なお、パターン電極の間隔に対応する開口幅（Ｌ１）はいずれも１００μｍとしている。
【００６３】
＜実施例１＞
実施例１に係る液晶レンズアレイの構成は図１、２に示した液晶レンズアレイ１０の構成と同様である。立設部の材質は基板と同様とした。
【００６４】
図１２に、比較例１及び実施例１の液晶レンズアレイそれぞれについて、Ｖ１Ｌ＝７Ｖ（１ｋＨｚ）、Ｖ１Ｒ＝０Ｖとした場合の１素子における液晶層断面に関わる光学位相差分布特性を示す。比較例１に係る液晶レンズアレイ（第３電極無、立設部無）においては、光学位相差分布特性が極端に上に凸の形状となっているのが、実施例１（第３電極無、立設部有）では緩和され、より直線形状に近くなるとともに、利用可能な位相差が増大していることが分かる。なお、比較例１では偏向角が４．０度であるのに対して、実施例１では１２．６度と改善されている。
【００６５】
＜比較例２＞
比較例２は、図５、６に示した液晶レンズアレイ３０から立設部５を除いたものに相当する。各層の厚みや材料については上述した比較例１と同様である。
【００６６】
＜実施例２＞
実施例２に係る液晶レンズアレイの構成は図５、６に示した液晶レンズアレイ３０の構成と同様である。
【００６７】
図１３に、比較例２及び実施例２の液晶レンズアレイそれぞれについて、Ｖ１Ｌ＝７Ｖ、Ｖ２Ｒ＝２．２Ｖ（それぞれ１ｋＨｚ）、Ｖ１Ｒ＝０Ｖ、とした場合の１素子における液晶層断面に関わる光学位相差分布特性を示す。比較例２に係る液晶レンズアレイ（第３電極有、立設部無）においては、光学位相差分布特性が同様に上に凸の形状となっているのが、実施例２（第３電極有、立設部有）に係る液晶レンズアレイではさらに緩和され、一部を除いてほぼ直線形状に近くなると共に、利用可能な位相差も増大していることが分かる。なお、比較例２では偏向角が３．２度であるのに対して、実施例２では１１．９度と改善されている。
【００６８】
＜実施例３＞
実施例３に係る液晶レンズアレイの構成は図８に示した液晶レンズアレイ４０の構成と同様である。
【００６９】
図１４に、実施例３の液晶レンズアレイについて、Ｖ１Ｌ＝３．５Ｖ及び−３．５Ｖ、Ｖ２Ｒ＝１．８Ｖ及び−１．８Ｖ（それぞれ１ｋＨｚ）、Ｖ１Ｒ＝０Ｖ、とした場合の１素子における液晶層断面に関わる光学位相差分布特性を示す。実施例３のようにパターン電極等を対称構造とすることで、実施例２の場合に比較して、光学位相差分布特性がさらに直線化され、開口幅の広い範囲において理想に近いプリズム特性が得られることが分かる。なお、ここでは相対する電極間にグランド電位（０Ｖ）に対してそれぞれ位相が反転した（１８０度異なる）電圧（前記の負の符号は、位相が反転していることを表している）を印加して駆動した場合の特性を示している。偏向角は１３．４度となり、液晶層の光学位相差の利用効率がさらに改善されることが分かる。
【００７０】
図１２、１３に示すように、比較例１、２の場合に比べて、実施例１、２に係る液晶レンズアレイでは、隣接する高電位側の電極からの漏れ電界の影響がシールドされるため、低電位側の電極の電位が実効的に高くならないため光学位相差の最大値が増加し、偏向角が増大すると共に光学位相差分布特性が直線状に近くなったものと考えられる（図１５）。さらに、実施例３に係る液晶レンズアレイは、シールド効果がより有効的になり、且つ液晶層に対して対称的な駆動法となることから、図１４に示すように光学位相差分布が理想的な直線状に一層近づけることができ、光学位相差の利用効光学位相差の利用効率が改善され、偏向角をより大きな値とすることができた。
【００７１】
尚、立設部が液晶層を完全に満たしていない場合、すなわち立設部５５の上端と配向膜３ｂとの間に間隔を有する場合では、この間隔を通して高電位側の電極からの漏れ電界が生じるためシールド効果が不十分となるという難点があるが、立設部の幅と高さに関わるアスペクト比の観点から、素子の製造上立設部の高さをある程度制限することも重要である。立設部が液晶層の厚みに対する割合と偏向角の関係を図１６に示す。立設部の高さが液晶層の厚みに対して占める割合が大きくなるほど、漏れ電界に対するシールドの効果が大きくなるので、立設部はできるだけ高くする方が好ましいことが分かる。
【産業上の利用可能性】
【００７２】
本開示の液晶レンズは、機械的駆動部を要することなく、各電極に印加する電圧により、三角プリズムレンズ特性又は円形レンズ特性を示す。そのため、小型レンズとして種々の産業で利用可能である。
【符号の説明】
【００７３】
１  グランド電極層
２  パターン電極層
３  液晶層
４  絶縁層
５  立設部
６、７  基板
【図１】
2018101026.tif 000003
【図２】
2018101026.tif 000004
【図３】
2018101026.tif 000005
【図４】
2018101026.tif 000006
【図５】
2018101026.tif 000007
【図６】
2018101026.tif 000008
【図７】
2018101026.tif 000009
【図８】
2018101026.tif 000010
【図９】
2018101026.tif 000011
【図１０】
2018101026.tif 000012
【図１１】
2018101026.tif 000013
【図１２】
2018101026.tif 000014
【図１３】
2018101026.tif 000015
【図１４】
2018101026.tif 000016
【図１５】
2018101026.tif 000017
【図１６】
2018101026.tif 000018
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
グランド電極層を有する透明な基板と、パターン電極層を有する透明な基板と、前記グランド電極層及び前記パターン電極層の間に設けられた液晶層とを備え、
前記パターン電極層は、平面視においてスリット状、多角形状又は円形状である複数のレンズ開口の輪郭をなし、
前記グランド電極層を有する基板及び前記パターン電極層を有する基板のうちの少なくとも一方は、前記液晶層の内部へと突出する導電性の立設部を複数備え、
前記立設部の電位がグランド電極層の電位に保たれ、
前記立設部が平面視において前記複数のレンズ開口の間に設けられている、
液晶レンズアレイ。
【請求項２】
パターン電極層を有するとともに互いに対向する２枚の透明な基板と、前記パターン電極層の間に設けられた液晶層とを備え、
前記パターン電極層は、平面視においてスリット状、多角形状又は円形状である複数のレンズ開口の輪郭をなし、
前記互いに対向するパターン電極間の液晶層に位相が反転した電圧が印加され、
前記パターン電極層を有する透明な基板が、絶縁層を介して前記液晶層の内部に導電性の立設部を複数備え、
前記立設部の電位が前記パターン電極層の間の電位に保たれ、
前記立設部が平面視において前記複数のレンズ開口の間に設けられている、
液晶レンズアレイ。
【請求項３】
前記透明な基板の前記パターン電極層が設けられた面と同じ側の面に透明な第３電極層が設けられ、
前記第３電極層は、平面視において前記レンズ開口の内側に設けられている、
請求項１又は２に記載の液晶レンズアレイ。
【請求項４】
前記立設部は、表面が弱アンカリング面とされている、
請求項１〜３のいずれか１項に記載の液晶レンズアレイ。
【請求項５】
前記パターン電極層と前記液晶層との間、且つ、前記パターン電極層と前記立設部との間に絶縁層を有する、
請求項１〜４のいずれか１項に記載の液晶レンズアレイ。
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
グランド電極層を有する透明な基板と、パターン電極層を有する透明な基板と、前記グランド電極層及び前記パターン電極層の間に設けられた液晶層とを備え、
前記パターン電極層は、平面視においてスリット状、多角形状又は円形状である複数のレンズ開口の輪郭をなし、
平面視において前記レンズ開口の内側に前記パターン電極層が設けられておらず、前記レンズ開口に生じる不均一電界の分布特性に基づいて動作し、
前記グランド電極層を有する基板及び前記パターン電極層を有する基板のうちの少なくとも一方は、前記液晶層の内部へと突出する導電性の立設部を複数備え、
前記立設部の電位がグランド電極層の電位に保たれ、
前記立設部が平面視において前記複数のレンズ開口の間に設けられており、
前記透明な基板の前記パターン電極層が設けられた面と同じ側の面に透明な第３電極層が設けられ、
前記透明な基板の一面側に絶縁層が配置され、該絶縁層の表面側に前記パターン電極層が、裏面側に前記第３電極層が配置され、前記透明な基板、前記第３電極層、前記絶縁層及び前記パターン電極層の順に各層が配置されており、
前記第３電極層は、平面視において前記レンズ開口の内側に設けられている、
液晶レンズアレイ。
【請求項２】
パターン電極層を有するとともに互いに対向する２枚の透明な基板と、前記パターン電極層の間に設けられた液晶層とを備え、
前記パターン電極層は、平面視においてスリット状、多角形状又は円形状である複数のレンズ開口の輪郭をなし、
前記互いに対向するパターン電極間の液晶層に位相が反転した電圧が印加され、
前記パターン電極層を有する透明な基板が、絶縁層を介して前記液晶層の内部に導電性の立設部を複数備え、
前記立設部の電位が前記パターン電極層の間の電位に保たれ、
前記立設部が平面視において前記複数のレンズ開口の間に設けられている、
液晶レンズアレイ。
【手続補正２】
【補正対象書類名】明細書
【補正対象項目名】００１７
【補正方法】変更
【補正の内容】
【００１７】
【図１】液晶レンズアレイ１０の構成を説明するための断面概略図である。
【図２】パターン電極層２、グランド電極層１及び立設部５の平面形状の一例を説明するための平面概略図である。
【図３】液晶レンズアレイ２０の構成を説明するための断面概略図である。
【図４】パターン電極層１２、グランド電極層１及び立設部５の平面形状の一例を説明するための平面概略図である。
【図５】液晶レンズアレイ３０の構成を説明するための断面概略図である。
【図６】パターン電極層２及び電極層２５の平面形状の一例を説明するための平面概略図である。
【図７】パターン電極層２及び電極層２５の平面形状の一例を説明するための平面概略図である。
【図８】対称構造の液晶レンズアレイ４０の構成を説明するための断面概略図である。
【図９】液晶レンズアレイ５０の構成を説明するための断面概略図である。
【図１０】液晶レンズアレイ６０の構成を説明するための断面概略図である。
【図１１】比較例１（液晶レンズアレイ１００）の構成を説明するための断面概略図である。
【図１２】比較例１及び参考例１の光学位相差分布を示す図である。
【図１３】比較例２及び実施例１の光学位相差分布を示す図である。
【図１４】実施例２の光学位相差分布を示す図である。
【図１５】実施例に係る液晶レンズの効果について説明するための概略図である。
【図１６】立設部の長さと偏向角の関係を示す図である。
【手続補正３】
【補正対象書類名】明細書
【補正対象項目名】００４１
【補正方法】変更
【補正の内容】
【００４１】
液晶レンズアレイ３０において、基板７の表面又は絶縁層２４の表面に上記の透明電極材料をパターン印刷すること等によって、第３電極層２５を容易に形成可能である。
【手続補正４】
【補正対象書類名】明細書
【補正対象項目名】００６３
【補正方法】変更
【補正の内容】
【００６３】
＜参考例１＞
参考例１に係る液晶レンズアレイの構成は図１、２に示した液晶レンズアレイ１０の構成と同様である。立設部の材質は基板と同様とした。
【手続補正５】
【補正対象書類名】明細書
【補正対象項目名】００６４
【補正方法】変更
【補正の内容】
【００６４】
図１２に、比較例１及び参考例１の液晶レンズアレイそれぞれについて、Ｖ１Ｌ＝７Ｖ（１ｋＨｚ）、Ｖ１Ｒ＝０Ｖとした場合の１素子における液晶層断面に関わる光学位相差分布特性を示す。比較例１に係る液晶レンズアレイ（第３電極無、立設部無）においては、光学位相差分布特性が極端に上に凸の形状となっているのが、参考例１（第３電極無、立設部有）では緩和され、より直線形状に近くなるとともに、利用可能な位相差が増大していることが分かる。なお、比較例１では偏向角が４．０度であるのに対して、参考例１では１２．６度と改善されている。
【手続補正６】
【補正対象書類名】明細書
【補正対象項目名】００６６
【補正方法】変更
【補正の内容】
【００６６】
＜実施例１＞
実施例１に係る液晶レンズアレイの構成は図５、６に示した液晶レンズアレイ３０の構成と同様である。
【手続補正７】
【補正対象書類名】明細書
【補正対象項目名】００６７
【補正方法】変更
【補正の内容】
【００６７】
図１３に、比較例２及び実施例１の液晶レンズアレイそれぞれについて、Ｖ１Ｌ＝７Ｖ、Ｖ２Ｒ＝２．２Ｖ（それぞれ１ｋＨｚ）、Ｖ１Ｒ＝０Ｖ、とした場合の１素子における液晶層断面に関わる光学位相差分布特性を示す。比較例２に係る液晶レンズアレイ（第３電極有、立設部無）においては、光学位相差分布特性が同様に上に凸の形状となっているのが、実施例１（第３電極有、立設部有）に係る液晶レンズアレイではさらに緩和され、一部を除いてほぼ直線形状に近くなると共に、利用可能な位相差も増大していることが分かる。なお、比較例２では偏向角が３．２度であるのに対して、実施例１では１１．９度と改善されている。
【手続補正８】
【補正対象書類名】明細書
【補正対象項目名】００６８
【補正方法】変更
【補正の内容】
【００６８】
＜実施例２＞
実施例２に係る液晶レンズアレイの構成は図８に示した液晶レンズアレイ４０の構成と同様である。
【手続補正９】
【補正対象書類名】明細書
【補正対象項目名】００６９
【補正方法】変更
【補正の内容】
【００６９】
図１４に、実施例２の液晶レンズアレイについて、Ｖ１Ｌ＝３．５Ｖ及び−３．５Ｖ、Ｖ２Ｒ＝１．８Ｖ及び−１．８Ｖ（それぞれ１ｋＨｚ）、Ｖ１Ｒ＝０Ｖ、とした場合の１素子における液晶層断面に関わる光学位相差分布特性を示す。実施例２のようにパターン電極等を対称構造とすることで、実施例１の場合に比較して、光学位相差分布特性がさらに直線化され、開口幅の広い範囲において理想に近いプリズム特性が得られることが分かる。なお、ここでは相対する電極間にグランド電位（０Ｖ）に対してそれぞれ位相が反転した（１８０度異なる）電圧（前記の負の符号は、位相が反転していることを表している）を印加して駆動した場合の特性を示している。偏向角は１３．４度となり、液晶層の光学位相差の利用効率がさらに改善されることが分かる。
【手続補正１０】
【補正対象書類名】明細書
【補正対象項目名】００７０
【補正方法】変更
【補正の内容】
【００７０】
図１２、１３に示すように、比較例１、２の場合に比べて、参考例１及び実施例１に係る液晶レンズアレイでは、隣接する高電位側の電極からの漏れ電界の影響がシールドされるため、低電位側の電極の電位が実効的に高くならないため光学位相差の最大値が増加し、偏向角が増大すると共に光学位相差分布特性が直線状に近くなったものと考えられる（図１５）。さらに、実施例２に係る液晶レンズアレイは、シールド効果がより有効的になり、且つ液晶層に対して対称的な駆動法となることから、図１４に示すように光学位相差分布が理想的な直線状に一層近づけることができ、光学位相差の利用効光学位相差の利用効率が改善され、偏向角をより大きな値とすることができた。
【手続補正１１】
【補正対象書類名】図面
【補正対象項目名】図１２
【補正方法】変更
【補正の内容】
【図１２】
2018101026.tif 000019
【手続補正１２】
【補正対象書類名】図面
【補正対象項目名】図１３
【補正方法】変更
【補正の内容】
【図１３】
2018101026.tif 000020
【手続補正１３】
【補正対象書類名】図面
【補正対象項目名】図１４
【補正方法】変更
【補正の内容】
【図１４】
2018101026.tif 000021